(57)【要約】【課題】研磨部材の取付け角度を変更可能にすることにより、研磨部材を傾斜可能に取付け、スパッタの除去作業を容易にできるようにしたクリーナ装置を提供すること。【解決手段】研磨部材を取付け台に傾斜角度を変更可能に固定した。前記研磨部を保持する受皿に上端を固定した可動支柱の下端を、取付け台の固定支柱の上端に傾斜角度を変更可能に取付け固定した。前記受皿に、スイング動可能にスパッタ付着防止液部を保持した。【選択図】図２
2020121340.tif 000002
【特許請求の範囲】
【請求項１】
研磨部の研磨部材がシールドノズルの内部に入るようにシールドノズルを押込むことによりシールドノズルに付着したスパッタを除去するクリーナ装置において、研磨部材を取付け台に傾斜角度を変更可能に固定したことを特徴とするクリーナ装置
【請求項２】
前記研磨部を保持する受皿に上端を固定した可動支柱の下端を、取付け台の固定支柱の上端に傾斜角度を変更可能に取付け固定したことを特徴とする請求項１記載のクリーナ装置。
【請求項３】
前記受皿に、スイング動可能にスパッタ付着防止液部を保持したことを特徴とする請求項１又は請求項２記載のクリーナ装置。
【発明の詳細な説明】
【技術分野】
【０００１】  本発明は、ガスシールドアーク溶接に用いられるシールドノズルに付着するスパッタを除去するためのクリーナ装置に関するものである。
【背景技術】
【０００２】  従来、この種のクリーナ装置として、図６に示すように、研磨部材５１を、基台５２を介してモータ５３の回転軸５４に回転可能に保持し、このモータ５３を取付け台５５の上端に研磨部材５１が突出するように取付け、この取付け台５５の下端の取付け板部５６にて取付け部に取付け固定していた。（例えば、特許文献１を参照）
【先行技術文献】
【特許文献】
【０００３】
【特許文献１】特開２０１８−０３９０４６号公報
【発明の概要】
【発明が解決しようとする課題】
【０００４】  前記のものでは、研磨部材５１が取付け部に対して垂直になるように、取付け台５５に取付けられていたので、取付け部の高さ、取付け部の傾斜、作業者の背の高さ等により、研磨部材５１を傾斜することにより作業が容易になることがあるが、作業を容易にするため、研磨部材５１の取付け角度を変更できないという問題があった。【０００５】  本発明は、前記の問題を解決し、研磨部材の取付け角度を変更可能にすることにより、研磨部材を傾斜可能に取付け、スパッタの除去作業を容易にできるようにしたクリーナ装置を提供することを目的になされたものである。
【課題を解決するための手段】
【０００６】  上記課題を解決するためになされた本発明のクリーナ装置は、研磨部の研磨部材がシールドノズルの内部に入るようにシールドノズルを押込むことによりシールドノズルに付着したスパッタを除去するクリーナ装置において、研磨部材を取付け台に傾斜角度を変更可能に固定したことを特徴とするものである。【０００７】  前記研磨部を保持する受皿に上端を固定した可動支柱の下端を、取付け台の固定支柱の上端に傾斜角度を変更可能に取付け固定したものであることが好ましく、これを請求項２に係る発明とする。【０００８】  前記受皿に、スイング動可能にスパッタ付着防止液部を保持したものであることが好ましく、これを請求項３の発明とする。
【発明の効果】
【０００９】  請求項１の発明では、研磨部材を取付け台に傾斜角度を変更可能に固定したのでシールドノズルに付着したスパッタの除去作業が容易にできる【００１０】  請求項２の発明では、前記研磨部を保持する受皿に上端を固定した可動支柱の下端を、取付け台の固定支柱の上端に傾斜角度を変更可能に取付け固定したので、研磨部の取付け角度を容易に変更できる。【００１１】  請求項３の発明では、前記受皿に、スイング動可能にスパッタ付着防止液部を保持したので、研磨部の取付け角度を変更しても、スパッタ付着防止液部は自動で垂直状態を保つので、スパッタ付着防止液部が傾斜してスパッタ付着防止液がこぼれ落ちるのを防止できる。
【図面の簡単な説明】
【００１２】
【図１】本発明の実施の形態を示す正面図である。
【図２】図１の側面図である。
【図３】図１の平面図である。
【図４】図２の研磨部材を傾斜させた状態の図である。
【図５】クリーナ装置の使用方法を説明するための図である。
【図６】従来例を示す正面図である。
【発明を実施するための形態】
【００１３】  以下、本発明の実施の形態について、図１から図５に基づいて説明する。
【００１４】  １は、円筒形で、外径がシールドノズル２の内径より若干小径に形成されたスパッタ除去用の研磨部材３と、円筒形で、内径が研磨部材３の外形より若干大径に形成され、研磨部材３を保持する基台４と、基台４を介して研磨部材３を回転可能に保持する空気モータ、電気モータ等の回転駆動体５とからなる研磨部であり、研磨部１は、研磨部材３を上部より基台４に挿入してボルト６にて抜け止めするとともに、基台４の下部より回転駆動体５の回転軸７を挿入して、研磨部材３を基台４を介して、回転駆動体５に回転可能に保持している。
【００１５】  ８は、略Ｕ字形に形成され、底面板９に前記研磨部１の基台４の外形より大径の貫通孔１０を穿設するとともに、両側面板１１の端部上部に形成されたスリット状の切欠き１２に、側板１３の上部両端に形成した突出片１４を差込むことにより、開放側面に側板１３を着脱可能に取付けた受皿であり、受皿８の底面板９の貫通孔１０に下方から基台４に保持されている研磨部材１を貫通して突出させ、回転駆動体５をボルト１５にて底面板９に取付け固定して研磨部１を取付け固定している。
【００１６】  １６は、Ｌ字形に形成された基板１７と、上端を半円形に形成した固定支柱１８と、下端を半円形に形成し、固定支柱１８と略同幅の可動支柱１９とからなる取付け台であり、取付け台１６の固定支柱１８の下端を基板１７の垂直片２０の中央部に溶接などにより固定するとともに、可動支柱１９の上端を前記受皿８の一方の側面板１１に溶接などにて固定し、固定支柱１８に可動支柱１９を重ね合せた部分が、半円形が合わさって円形となるように重ね、円形部分の中心部にて、ボルト２２で可動支柱１９を固定支柱１８に角度変更可能に取付け固定している。尚、２３はクリーナ装置をボルト等にて取付け部に固定するため、基台１７の水平片２４に形成された取付け孔である。
【００１７】  ２５は、スイング可能な置台２６と、スパッタ付着防止液を入れた、上開口のケース２７からなるスパッタ付着防止液部であり、スパッタ付着防止液部２５は、スパッタ付着防止液を入れたケース２７を乗せた置台２６の一方側面に形成した腕部２８の上端を、前記受皿８の他方側面１０にスイング動可能に支持されている。尚、スイング動可能とは、受皿８の取付け角度が変わっても自動的に置台２６が動作してケース２７が常に垂直を保つように動作するものである。
【００１８】  ２９は上端が開放された穴３０が形成された角柱状のトーチ保持部であり、トーチ保持部２９は下端を、前記取付け台１６の基板１７に垂直に固定され、図１において一点鎖線で示すように、アーク溶接のトーチ３１を一時的に保持するものである。
【００１９】  次に、研磨部材３を傾斜させる方法について説明すると、図２の研磨部材３が垂直の状態より、固定支柱１８に可動支柱１９を固定しているボルト２２を緩め、可動支柱１９を回動させると、これに伴い研磨部１も回動し、研磨部材３を傾斜するので、研磨部材３が予定の角度に傾斜したら、ボルト２２を締めつけて可動支柱１９を固定支柱１８に固定する。この時受皿８も傾斜するが、スパッタ付着防止液部２５は受皿８にスイング動可能に保持されているので、自動でスパッタ付着防止液が入ったケース２７は垂直状態を保っている。
【００２０】  さらに、シールドノズルに付着したスパッタを除去する方法について説明すると、図５において、回転駆動体５を動作して、研磨部材３を回転させ、実線で示したシールドノズル３２の状態より、一点鎖線示したように研磨部材３がシールドノズル３２の中に入るようにシールドノズル３２を先端が基台４に当接するまで押込むことにより、シールドノズル３２に付着したスパッタが除去され、除去されたスパッタは受皿８内に落ち、その後、シールドノズル３２を引出し、先端部をスパッタ防止液に浸けてシールドノズル３２にスパッタの付着防止処理を行い、受皿８に集積したスパッタを捨てるときには、側板１３を外すことにより容易に捨てることができる。
【００２１】  尚、スパッタの付着力が弱い場合には、研磨部を回転させなくても良く、また、スパッタの付着防止作業は、作業者がトーチを手に持って行う、また、溶接ロボットにて自動で行う、さらに、シールドノズルをトーチから外して行う等作業環境によって種々の方法がある。
【００２２】  以上のように、研磨部材３がシールドノズル２の内部に入るようにシールドノズル２を押込むことによりシールドノズル２に付着したスパッタを除去するクリーナ装置において研磨部材３を取付け台１６に傾斜角度を変更可能に固定したので、シールドノズル２に付着したスパッタの除去作業が容易にできる。
【００２３】  また、前記研磨部１を保持する受皿８に上端を固定した可動支柱１９の下端を、取付け台１６の固定支柱１８の上端に傾斜角度を変更可能に取付け固定したので、研磨部１の取付け角度を容易に変更できる。
【００２４】  さらに、前記受皿８に、スイング動可能にスパッタ付着防止液部２５を保持したので、研磨部１の取付け角度を変更しても、スパッタ付着防止液部２５は自動で垂直状態を保つので、スパッタ付着防止液部２５が傾斜してスパッタ付着防止液がこぼれ落ちるのを防止できる。
【符号の説明】
【００２５】  １  研磨部
３  研磨部材
４  基台
５  回転駆動体
８  受皿
１４  側板
１６  取付け台
１７  基板
１８  固定支柱
１９  可動支柱
２５  スパッタ付着防止液部
２６  置台
２７  ケース
２８  腕部
【図１】
2020121340.tif 000003
【図２】
2020121340.tif 000004
【図３】
2020121340.tif 000005
【図４】
2020121340.tif 000006
【図５】
2020121340.tif 000007
【図６】
2020121340.tif 000008